(57)【要約】【解決手段】ドア本体１４にロッド３１を横スライド可能に取付け、このロッド３１で駆動するためにアーム部材３２の中間をロッド３１に嵌合させるとともにアーム部材３２の一端をドア本体１４にスイング自在に取付け、このアーム部材３２の他端にカム部材３３のカム部５９を係合させるとともにカム部材３３の支持部５５をドア本体１４にスイング自在に取付け、このカム部材３３の作用部５６に連結部材３４を介して気密部材３６をスイング自在に取付けることで、ドア本体１４を閉じたときにロッド３１の先端４８をドア枠１２で押し、ドア枠１２とドア本体１４との隙間を気密部材３６で塞ぎ、これらの気密部材３６とドア本体１４との間に弾発部材３５を介在させることで、ドア本体１４を開いたときに弾発部材３５でドア本体１４側に気密部材３６を引き寄せるようにした。【効果】ドアの開閉力を小さくすることができる。【選択図】        図２
2004190305.tif 000002
【特許請求の範囲】
【請求項１】
矩形のドア枠に開閉自在にドア本体を取付け、このドア本体を閉じたときに、ドア枠とドア本体との間に発生する隙間を塞ぐドアの気密機構において、
このドアの気密機構は、前記ドア本体に横スライド可能に取付けるとともにドア本体から先端を突出させたロッドと、このロッドで駆動するために中間をロッドに嵌合させるとともに一端を前記ドア本体にスイング自在に取付けたアーム部材と、このアーム部材の他端にカム部を係合させるとともに支持部を前記ドア本体にスイング自在に取付けたカム部材と、このカム部材の作用部にスイング自在に取付けることで、前記ドア本体を閉じたときに前記ドア枠とドア本体との隙間を塞ぐ気密部材と、これらの気密部材とドア本体との間に介在させることで、前記ドア本体を開いたときにドア本体側に前記気密部材を引き寄せる弾発部材と、からなることを特徴とするドアの気密機構。
【請求項２】
前記気密部材と前記作用部との間に、これらの気密部材と作用部とを繋ぐ連結部材を介在させたことを特徴とする請求項１記載のドアの気密機構。
【請求項３】
前記アーム部材の他端にローラを付加し、このローラを前記カム部に当てたことを特徴とする請求項１又は請求項２記載のドアの気密機構。
【発明の詳細な説明】
【０００１】
【発明の属する技術分野】
本発明は、防音室や電磁シールドルームに使用するドアの気密機構に関する。
【０００２】
【従来の技術】
電磁シールドルームに使用するドアの気密機構が知られている（例えば、特許文献１参照。）。
【０００３】
【特許文献１】
特開平５−３３５６６号公報（第４頁、図１）
【０００４】
同公報の図１を再掲し上記技術を説明する。ただし、同公報に記載の符号を新しく振り直すとともに記載の名称も一部変更した。
図８は特開平５−３３５６６号公報の図１の再掲図である。
ドアの気密機構２００は、ドア本体２０１に横スライド可能に取付けたロッド２０２と、このロッド２０２に一端に取付けるとともに他端をドア本体２０１に支持させた板ばね２０３と、この板ばね２０３の中央に取付けるとともにドア本体２０１に昇降可能に取付けた気密部材２０４と、から構成する機構であり、ドア本体２０１を閉じ、ドア枠２０５でロッド２０２の先端を押すことで、板ばね２０３に弛みを持たせ、ドア枠２０５の下部２０６に気密部材２０４を押付けるようにしたものである。
【０００５】
しかし、上記のドアの気密機構２００は、気密部材２０４をドア枠２０５の下部２０６に押付けるための力は板ばね２０３に依存するので、この板ばね２０３がへたると、押付ける力が不十分になることがある。
この押付ける力を改善する試みとしてアームを用いたドアの気密機構が知られており、次図に示す。
【０００６】
次図は、特許文献１とは異なる従来例に係る図である。
図９（ａ），（ｂ）は従来のアーム式のドアの気密機構の原理図である。
（ａ）において、ドアの気密機構２１０は、ドア本体２１１に横スライド可能に取付けたロッド２１２と、このロッド２１２に取付けたアーム支持部２１３，２１３と、これらのアーム支持部２１３，２１３に一端をスイング自在に取付けたアーム２１４，２１４と、これらのアーム２１４，２１４の他端に回転可能に取付けた気密部材ブラケット２１５と、このブラケット２１５に取付けた気密部材２１６と、ドア本体２１１と気密部材ブラケット２１５との間に掛け渡したコイルばね２１７，２１７とからなる。
【０００７】
（ｂ）において、ドア本体２１１を閉じ、ドア枠２１８でロッド２１２の先端を押すことで、気密部材２１６を矢印のように下降させ、この気密部材２１６をドア枠２１８の下部２１９に押付けるものであり、確実な押え力を得られるものである。
【０００８】
【発明が解決しようとする課題】
しかし、上記のドアの気密機構２１０では、ロッド２１２と気密部材２１６とが連動する。そして、ロッド２１２はドア本体２１１から突出しているので、ドア本体２１１が閉まる前から移動を始める。この結果、ドア本体２１１の閉まる動作の途中から気密部材２１６が下降し、ドア本体２１１の閉まる動作の途中から気密部材２１６がドア枠２１８の下部２１９に接触を開始し、気密部材２１６がドア枠２１８に摺りながら閉まることになる。
ドア本体２１１の閉じる動作の途中から気密部材２１６がドア枠２１８に接触すると、ドア本体２１１の開閉力に影響を及ぼすとともに気密部材２１６の摩耗量が多くなるので好ましいこととは言えない。
【０００９】
すなわち、本発明の目的は、ドアの閉まる動作が終了する直前に気密部材を下降させ、ドアの開ける動作が開始してすぐに気密部材を上昇させることのできるドアの気密機構を提供することにある。
【００１０】
【課題を解決するための手段】
上記目的を達成するために請求項１は、矩形のドア枠に開閉自在にドア本体を取付け、このドア本体を閉じたときに、ドア枠とドア本体との間に発生する隙間を塞ぐドアの気密機構において、ドア本体に横スライド可能に取付けるとともにドア本体から先端を突出させたロッドと、このロッドで駆動するために中間をロッドに嵌合させるとともに一端をドア本体にスイング自在に取付けたアーム部材と、このアーム部材の他端にカム部を係合させるとともに支持部をドア本体にスイング自在に取付けたカム部材と、このカム部材の作用部にスイング自在に取付けることで、ドア本体を閉じたときにドア本体との隙間を塞ぐ気密部材と、これらの気密部材とドア本体との間に介在させることで、ドア本体を開いたときにドア本体側に気密部材を引き寄せる弾発部材と、から構成したことを特徴とする。
【００１１】
ドアの閉まる動作が終了する直前に気密部材を下降させ、ドアの開ける動作が開始してすぐに気密部材を上昇させることができるとすれば、ドアの開閉力に影響を及ぼすことがなくなり、気密部材の摩耗量も抑えることができるので好ましい。
【００１２】
そこで、ドア本体にロッドを横スライド可能に取付けるとともにドア本体からロッドの先端を突出させ、このロッドで駆動するためにアーム部材の中間をロッドに嵌合させるとともにアーム部材の一端をドア本体にスイング自在に取付け、このアーム部材の他端にカム部材のカム部を係合させるとともにカム部材の支持部をドア本体にスイング自在に取付け、このカム部材の作用部に気密部材をスイング自在に取付けることで、ドア本体を閉じたときにロッドの先端をドア枠で押し、ドア枠とドア本体との隙間を気密部材で塞ぎ、これらの気密部材とドア本体との間に弾発部材を介在させることで、ドア本体を開いたときに弾発部材でドア本体側に気密部材を引き寄せるようにした。
【００１３】
すなわち、ドアの気密機構を、ドア本体に横スライド可能に取付けるとともにドア本体から先端を突出させたロッドと、このロッドで駆動するために中間をロッドに嵌合させるとともに一端をドア本体にスイング自在に取付けたアーム部材と、このアーム部材の他端にカム部を係合させるとともに支持部をドア本体にスイング自在に取付けたカム部材と、このカム部材の作用部にスイング自在に取付けることで、ドア本体を閉じたときにドア本体との隙間を塞ぐ気密部材と、これらの気密部材とドア本体との間に介在させることで、ドア本体を開いたときにドア本体側に気密部材を引き寄せる弾発部材と、から構成することで、ドアの閉まる動作が終了する直前に気密部材を下降させ、ドアの開ける動作が開始してすぐに気密部材を上昇させることができる。
この結果、ドアの開閉力を小さくすることができ、気密部材の摩耗量も抑えることができる。
【００１４】
請求項２は、気密部材と作用部との間に、これらの気密部材と作用部とを繋ぐ連結部材を介在させたことを特徴とする。
気密部材と作用部との間に、これらの気密部材と作用部とを繋ぐ連結部材を介在さることで、気密部材とカム部材とを離して配置することができ、ドアの気密機構の設計の自由度を広げることができる。
【００１５】
請求項３は、アーム部材の他端にローラを付加し、このローラをカム部に当てたことを特徴とする。
アーム部材の他端にローラを付加し、このローラをカム部に当てることで、アーム部材でカム部材を作動させるときの作動力の軽減を図る。この結果、ドアの気密機構を滑らかに動かすことができ、商品性の向上を図ることができる。
【００１６】
【発明の実施の形態】
本発明の実施の形態を添付図に基づいて以下に説明する。なお、図面は符号の向きに見るものとする。
図１は本発明に係るドアの気密機構を採用した気密用のドアの斜視図である。気密用のドア１０は、遮蔽壁１１に取付けたドア枠１２と、このドア枠１２にヒンジ１３・・・（・・・は複数個を示す。以下同じ）を介して取付けたドア本体１４と、このドア本体１４の中央にガラス枠１５を介して取付けた遮音用厚板ガラス１６と、ドア本体１４に回転自在に取付けたドアハンドル１７と、ドア本体１４とドア枠１２との間を繋ぐことで、ドア本体１４の開状態を維持するとともにドア本体１４の閉まり速さをダンプさせるドアストッパ１８と、ドア本体１４の内部に収納したドアの気密機構３０と、からなる。
【００１７】
図中、２１はドア枠１２の下部に形成した沓ずり、２２はドア枠１２に形成した戸当たり、２３はドア枠１２に形成することでドアハンドル１７を嵌合させる嵌合凹部、２４はドア枠１２の嵌合凹部２３に嵌合させるためにドアハンドル１７に形成した嵌合凸部である。
【００１８】
図２は図１の２−２線断面図であり、ドアの気密機構の正面図を示す。
ドアの気密機構３０は、ドア本体１４に横スライド可能に取付けるとともにドア本体１４から先端４８を突出させたロッド３１と、このロッド３１で駆動するために中間をロッド３１に嵌合させ、且つ一端をドア本体１４にスイング自在に取付けるとともに他端にローラ５３を回転自在に取付けたアーム部材３２，３２と、これらのアーム部材３２，３２のそれぞれのローラ５３，５３にカム部５９，５９を嵌合させるとともに支持部５５，５５をドア本体１４にスイング自在に取付けたカム部材３３，３３と、これらのカム部材３３，３３のそれぞれの作用部５６，５６に一端をスイング自在に取付けた連結部材３４，３４と、これらの連結部材３４，３４のそれぞれの他端にスイング自在に取付けた取付けることで、ドア本体１４の開閉動作でロッド３１の先端４８をドア枠１２で押したときにドア枠１２とドア本体１４との隙間を塞ぐ気密部材３６と、これらの気密部材３６とドア本体１４との間を繋ぐ弾発部材３５，３５と、からなる。
【００１９】
ドア本体１４は、ロッド３１をスライド可能に支持するガイドブッシュ４１，４２と、アーム部材３２，３２をスイング自在に支持する支持部材４３と、カム部材３３，３３をスイング自在に支持するカム支点４４，４４と、弾発部材３５，３５を支持する支持ピン４５，４５と、ロッド３１の先端４８を突出させる開口４６と、を備える。
【００２０】
ロッド３１は、アーム部材３２に嵌合させる嵌合ピン４７を備える。
アーム部材３２は、ロッド３１の支持ピン４５に嵌合させる長孔５１と、ドア本体１４の支持部材４３に嵌合させる嵌合孔５２と、先に説明したローラ５３と、を備える。
【００２１】
カム部材３３は、カム支点４４に嵌合させる先に説明した支持部５５と、連結部材３４に連結するために作用部５６に取付けた連結ピン５７と、先に説明したカム部５９と、を備えた部材である。
連結部材３４は、一端に形成することで連結ピンに連結する第１連結孔６１と、他端に形成することで気密部材３６に連結する第２連結孔６２と、を形成したものである。
【００２２】
例えば、ドアの閉まる動作が終了する直前に気密部材を下降させ、ドアの開ける動作が開始してすぐに気密部材を上昇させることができるとすれば、ドアの開閉力に影響を及ぼすことがなくなり、気密部材の摩耗量も抑えることができるので好ましい。
【００２３】
そこで、ドア本体１４にロッド３１を横スライド可能に取付けるとともにドア本体１４からロッド３１の先端４８を突出させ、このロッド３１で駆動するためにアーム部材３２の中間をロッド３１に嵌合させるとともにアーム部材３２の一端をドア本体１４にスイング自在に取付け、このアーム部材３２の他端にカム部材３３のカム部５９を係合させるとともにカム部材３３の支持部５５をドア本体１４にスイング自在に取付け、このカム部材３３の作用部５６に連結部材３４を介して気密部材３６をスイング自在に取付けることで、ドア本体１４を閉じたときにロッド３１の先端４８をドア枠１２（図１参照）で押し、ドア枠１２とドア本体１４との隙間を気密部材３６で塞ぎ、これらの気密部材３６とドア本体１４との間に弾発部材３５を介在させることで、ドア本体１４を開いたときに弾発部材３５でドア本体１４側に気密部材３６を引き寄せるようにした。
【００２４】
図３は図１の３ー３線断面図であり、気密部材３６の側面断面を示す。
気密部材３６は、ドア本体１４に昇降可能に取付けた気密部材ブラケット６４を介して連結部材３４に連結するとともに、気密部材ブラケット６４を介して弾発部材３５でドア本体１４に吊下げる部材であって、気密部材ブラケット６４は、連結部材３４をスイング自在に取付ける取付け部６５と、弾発部材３５を掛ける引っ掛け部６６とを備える。なお、６７は連結部材３４を取付け部６５に取付けるボルト、６８はボルト６７にねじ込むナットを示す。
【００２５】
以上に述べたドアの気密機構３０の動きを次に説明する。
図４（ａ），（ｂ）は本発明に係るドアの気密機構の動作説明図であり、（ａ）はドア本体１４を開けた状態を示し、（ｂ）はドア本体１４を閉じた状態を示す。
【００２６】
（ａ）において、ドアの気密機構３０は、矩形のドア枠１２（図１参照）に開閉自在にドア本体１４を取付け、このドア本体１４を閉じたときに、ドア枠１２とドア本体１４との間に発生する隙間を塞ぐドアの気密機構３０において、ドア本体１４に横スライド可能に取付けるとともにドア本体１４から先端４８を突出させたロッド３１と、このロッド３１で駆動するために中間をロッド３１に嵌合させるとともに一端をドア本体１４にスイング自在に取付けたアーム部材３２と、このアーム部材３２の他端にカム部５９を係合させるとともに支持部５５をドア本体１４にスイング自在に取付けたカム部材３３と、このカム部材３３の作用部５６にスイング自在に取付けることで、ドア本体１４を閉じたときにドア本体１４との隙間を塞ぐ気密部材３６と、これらの気密部材３６とドア本体１４との間に介在させることで、ドア本体１４を開いたときにドア本体１４側に気密部材３６を引き寄せる弾発部材３５と、から構成したことを示す。
【００２７】
このときに、ドアの気密機構３０では、気密部材３６と作用部５６との間に、これらの気密部材３６と作用部５６とを繋ぐ連結部材３４を介在させた。
気密部材３６と作用部５６との間に、これらの気密部材３６と作用部５６とを繋ぐ連結部材３４を介在さることで、気密部材３６とカム部材３３とを離して配置することができ、ドアの気密機構３０の設計の自由度を広げることができる。
【００２８】
さらに、ドアの気密機構３０では、アーム部材３２の他端にローラ５３を付加し、このローラ５３をカム部５９に当てた。
アーム部材３２の他端にローラ５３を付加し、このローラ５３をカム部５９に当てることで、アーム部材３２でカム部材３３を作動させるときの作動力の軽減を図る。この結果、ドアの気密機構３０を滑らかに動かすことができ、商品性の向上を図ることができる。
【００２９】
（ｂ）において、ドア本体１４を閉めることでロッド３１の先端を矢印▲１▼の如く押し、カム部材３３を矢印▲２▼の如くスイングさせ、連結部材３４を介して気密部材３６を矢印▲３▼の如く下降させる。この動きに連れて弾発部材３５は、矢印▲４▼の如く伸長することができ、ドア本体１４を開くときに気密部材３６を上昇させるとともにロッド３１を突出させる力を蓄える。
【００３０】
すなわち、ドアの気密機構３０を、ドア本体１４に横スライド可能に取付けるとともにドア本体１４から先端を突出させたロッド３１と、このロッド３１で駆動するために中間をロッド３１に嵌合させるとともに一端をドア本体１４にスイング自在に取付けたアーム部材３２と、このアーム部材３２の他端にカム部５９を係合させるとともに支持部５５をドア本体１４にスイング自在に取付けたカム部材３３と、このカム部材３３の作用部５６にスイング自在に取付けることで、ドア本体１４を閉じたときにドア本体１４との隙間を塞ぐ気密部材３６と、これらの気密部材３６とドア本体１４との間に介在させることで、ドア本体１４を開いたときにドア本体１４側に気密部材３６を引き寄せる弾発部材３５と、から構成することで、ドア１０（図１参照）の閉まる動作が終了する直前に気密部材３を下降させ、ドア１０の開ける動作が開始してすぐに気密部材３６を上昇させることができる。この結果、ドア１０の開閉力を小さくすることができ、気密部材３６の摩耗量も抑えることができる。
【００３１】
図５（ａ）〜（ｃ）は本発明に係るドアの気密機構のカム部材の形状を示す平面図であり、（ａ）は実施例のカム部材３３のカム形状を示し、（ｂ）は別実施例のカム部材７１のカム形状を示し、（ｃ）はさらなる別実施例のカム部材７５のカム形状を示す。
（ａ）において、カム部材３３は、カム部５９の形状を円弧状に形成することで、ロッドの移動量に比べ、気密部材の移動量を大きく設定しようとしたものである。
【００３２】
（ｂ）において、別実施例のカム部材７１は、カム部７２の途中が凸に設定する変極点７３を設けることで、変極点７３までは一気に気密部材３６（図２参照）を移動し、変極点７３からは比較的ゆっくりと気密部材３６を移動させようとしたものである。なお、この変極点７３を複数個設けることを妨げるものではない。
【００３３】
（ｃ）において、別実施例のカム部材７５は、カム部７６の途中が凸に設定する変極点７７を設けることで、変極点７７までは比較的ゆっくりと気密部材３６（図２参照）を移動し、変極点７７からは一気に気密部材３６を移動させようとしたものである。なお、この変極点７７を複数個設けることを妨げるものではない。
【００３４】
図６は本発明に係る第２実施の形態のドアの気密機構の正面図であり、ドアの気密機構３０（図２参照）に使用した部品と同一部品は同一符号を用い詳細な説明は省略する。
ドアの気密機構８０は、ヒンジ軸９１廻りに回転自在に取付けたドア９０の気密構造であり、２本のロッド８１，８１の移動方向と同方向に気密部材８６を移動させるようにしたものであり、ドア本体９４に横スライド可能に取付けるとともにドア本体９４から先端９８，９８を突出させたロッド８１，８１と、これらのロッド８１，８１で駆動するために中間をそれぞれのロッド８１，８１に嵌合させ、且つ一端をドア本体９４にスイング自在に取付けるとともに他端にローラ９３を回転自在に取付けたアーム部材８２，８２と、これらのアーム部材８２，８２のそれぞれのローラ９３，９３にカム部９９，９９を嵌合させるとともに支持部９５，９５をドア本体９４にスイング自在に取付けたカム部材８３，８３と、これらのカム部材８３，８３のそれぞれの作用部９６，９６に一端をスイング自在に取付けた連結部材８４，８４と、これらの連結部材８４，８４のそれぞれの他端にスイング自在に取付けた取付けることで、ドア本体９４の開閉動作でロッド８１，８１の先端９８，９８をドア枠１２（図１参照）で押したときにドア枠１２とドア本体９４との隙間を塞ぐ気密部材８６と、これらの気密部材８６とドア本体９４との間を繋ぐ弾発部材８５，８５と、からなる。なお、９７は気密部材８６の気密部材ブラケットである。
【００３５】
以上に述べたドアの気密機構８０の動きを次に説明する。
図７（ａ），（ｂ）は本発明に係る第２実施の形態のドアの気密機構の動作説明図であり、（ａ）はドア本体９４を開けた状態を示し、（ｂ）はドア本体９４を閉じた状態を示す。
（ａ）において、ドアの気密機構８０は、ロッド８１，８１の移動方向と同方向に気密部材８６を移動させるようにすることで、例えば、両開きのドアの気密構造として用いることで、互いのドアの係合部分（召し合わせ部分）の隙間を塞ぐことができる。すなわち、ドアの気密機構８０の用途の拡大を図ることができる。
【００３６】
（ｂ）において、ドア本体９４を閉めることでロッド８１，８１の先端９８，９８を矢印▲５▼の如く押し、カム部材８３，８３を矢印▲６▼の如くスイングさせ、連結部材８４，８４を介して気密部材８６を矢印▲７▼の如く突出させる。この動きに連れて弾発部材８５，８５は、矢印▲８▼の如く伸長することができ、ドア本体９４を開くときに気密部材８６を収納するとともにロッド８１，８１を突出させる力を蓄える。
【００３７】
尚、実施の形態では図１に示すように、ドアの気密機構３０を気密用のドア１０として説明したが、これに限るものではなく、気密部材をシールド部材に変えることで、電磁シールドルーム用のドアの気密機構に用いるものであってもよい。
また、実施の形態では図１に示すように、アーム部材３２、カム部材３３、連結部材３４及び弾発部材３５を２個用いたが、これに限るものではなく、これらの部材を１個若しくは３個以上用いるものであってもよい。
【００３８】
【発明の効果】
本発明は上記構成により次の効果を発揮する。
請求項１では、ドアの気密構造を、ドア本体に横スライド可能に取付けるとともにドア本体から先端を突出させたロッドと、このロッドで駆動するために中間をロッドに嵌合させるとともに一端をドア本体にスイング自在に取付けたアーム部材と、このアーム部材の他端にカム部を係合させるとともに支持部をドア本体にスイング自在に取付けたカム部材と、このカム部材の作用部にスイング自在に取付けることで、ドア本体を閉じたときにドア本体との隙間を塞ぐ気密部材と、これらの気密部材とドア本体との間に介在させることで、ドア本体を開いたときにドア本体側に気密部材を引き寄せる弾発部材と、から構成したので、ドアの閉まる動作が終了する直前に気密部材を下降させ、ドアの開ける動作が開始してすぐに気密部材を上昇させることができる。この結果、ドアの開閉力を小さくすることができ、気密部材の摩耗量も抑えることができる。
【００３９】
請求項２では、気密部材と作用部との間に、これらの気密部材と作用部とを繋ぐ連結部材を介在させたので、気密部材とカム部材とを離して配置することができ、ドアの気密機構の設計の自由度を広げることができる。
【００４０】
請求項３では、アーム部材の他端にローラを付加し、このローラをカム部に当てたので、アーム部材でカム部材を作動させるときの作動力の軽減を図る。この結果、ドアの気密機構を滑らかに動かすことができ、商品性の向上を図ることができる。
【図面の簡単な説明】
【図１】本発明に係るドアの気密機構を採用した気密用のドアの斜視図
【図２】図１の２−２線断面図
【図３】図１の３ー３線断面図
【図４】本発明に係るドアの気密機構の動作説明図
【図５】本発明に係るドアの気密機構のカム部材の形状を示す平面図
【図６】本発明に係る第２実施の形態のドアの気密機構の正面図
【図７】本発明に係る第２実施の形態のドアの気密機構の動作説明図
【図８】特開平５−３３５６６号公報の図１の再掲図
【図９】従来のアーム式のドアの気密機構の原理図
【符号の説明】
１０…ドア、１２…ドア枠、１４…ドア本体、３０…ドアの気密機構、３１…ロッド、３２…アーム部材、３３…カム部材、３４…連結部材、３５…弾発部材、３６…気密部材、５３…ローラ、５５…支持部、５６…作用部、５９…カム部。
【図１】
2004190305.tif 000003
【図２】
2004190305.tif 000004
【図３】
2004190305.tif 000005
【図４】
2004190305.tif 000006
【図５】
2004190305.tif 000007
【図６】
2004190305.tif 000008
【図７】
2004190305.tif 000009
【図８】
2004190305.tif 000010
【図９】
2004190305.tif 000011